(57)【要約】【課題】容器着脱形の生ゴミ処理機において、小型の装置で多量の生ゴミを処理することができ、しかも生ゴミの投入、処理後のゴミの取出しが容易で、更に、装置内部が汚れる問題も生じない生ゴミ処理機を提供する。【解決手段】ハウジング１と、ハウジング１に略水平な回転軸２により支持されて回転する横形のゴミ処理容器３と、ゴミ処理容器３の回転を駆動する容器回転装置７と、ゴミ処理容器３の内部に設けた回転翼９と、回転翼９を回転して生ゴミの切断又は破砕を行う回転翼駆動装置１１と、ゴミ処理容器３と離間してハウジング１に固定したマイクロ波照射装置とを備え、ハウジング１に、外部蓋１７により夫々開閉可能な上部の外部投入口１３及び下部の外部取出口１４を備え、更に、ゴミ処理容器３の外部投入口１３及び外部取出口１４と対応する位置に、内部蓋１８により夫々開閉可能な内部投入口１５及び内部取出口１６を備える。【選択図】図１
2005270718.tif 000002
【特許請求の範囲】
【請求項１】
ハウジングと、該ハウジングに略水平な回転軸により支持されて回転する横形のゴミ処理容器と、該ゴミ処理容器の回転を駆動する容器回転装置と、ゴミ処理容器の内部に設けた回転翼と、該回転翼を回転して生ゴミの切断又は破砕を行う回転翼駆動装置と、ゴミ処理容器と離間してハウジングに固定したマイクロ波照射装置とを備え、前記ハウジングに、外部蓋により夫々開閉可能な上部の外部投入口及び下部の外部取出口を備え、更に、ゴミ処理容器の前記外部投入口及び外部取出口と対応する位置に、内部蓋により夫々開閉可能な内部投入口及び内部取出口を備えたことを特徴とする生ゴミ処理機。
【請求項２】
前記ゴミ処理容器が、ハウジングに傾斜した回転軸により支持されて回転する傾斜形のゴミ処理容器であることを特徴とする請求項１に記載の生ゴミ処理機。
【請求項３】
外部投入口及び内部投入口におけるゴミ処理容器とハウジングとの間隔を閉塞する落下防止部材を設けたことを特徴とする請求項１又は２に記載の生ゴミ処理機。
【請求項４】
前記ハウジングに、ゴミ処理容器の回転位置を検出する検出器を備え、ゴミ処理容器の回転停止時に、生ゴミ投入口と外部投入口が一致し乾燥ゴミ取出口と外部取出口が一致して停止されるように前記容器回転装置を制御する制御器を備えたことを特徴とする請求項１〜３のいずれか１つに記載の生ゴミ処理機。
【発明の詳細な説明】
【技術分野】
【０００１】
本発明は、小型の装置で多量の生ゴミを処理することができ、しかも生ゴミの投入、処理後のゴミの取出しが容易で、更に、装置内部が汚れる問題を生じない生ゴミ処理機に関するものである。
【背景技術】
【０００２】
従来より、電子レンジの機能を利用して生ゴミを処理するようにした生ゴミ処理機が提案されている。
【０００３】
この種の生ゴミ処理機には、容器着脱形と、容器固定形とがある。
【０００４】
容器着脱形の生ゴミ処理機としては、内部にカッタを備えたゴミ容器に生ゴミを投入した後、ゴミ容器をハウジング内部に挿入載置し、ハウジング内部に備えた回転駆動装置により前記ゴミ容器を回転させると共に、前記カッタに接続される回転駆動装置によりカッタを回転させ、この状態でハウジングに備えたマイクロ波照射装置によりマイクロ波を照射することによって生ゴミを乾燥処理し、乾燥処理した乾燥ゴミはゴミ容器ごと外部に取出して廃棄するようにしている（例えば、特許文献１参照）。
【０００５】
一方、容器固定形の生ゴミ処理機としては、ハウジングの内部に生ゴミの処理容器を一体に備え、該処理容器の内底部には下部に備えた回転駆動装置により回転される回転カッタとスクレーパとを備え、前記処理容器に生ゴミを投入して回転カッタとスクレーパを回転させながら処理容器の外部に固定したマイクロ波照射装置によりマイクロ波を照射することによって処理容器内部の生ゴミを乾燥処理し、乾燥処理した乾燥ゴミは処理容器から掻き出すようにして外部に取出し廃棄している（例えば、特許文献２参照）。
【特許文献１】特許第３４４８８０７号公報
【特許文献２】特許第３４２４００５号公報
【発明の開示】
【発明が解決しようとする課題】
【０００６】
前記特許文献１に示される容器着脱形の生ゴミ処理機は、例えば持ち運びが容易な５ｋｇ以下程度の比較的少量の生ゴミを処理するのに適した一般家庭向き生ゴミ処理機であり、この生ゴミ処理機はゴミ容器がハウジングに着脱可能であるために、ゴミ容器への生ゴミの投入、生ゴミを投入したゴミ容器の運搬、乾燥処理後の乾燥ゴミをゴミ袋等に投入する作業が比較的容易である。
【０００７】
しかし、家庭等から排出される生ゴミの量は常に一定ではなく常時変動する。従って、例えば５ｋｇを超える量の生ゴミが生じた場合には、１回で処理することはできず、そのために２回に分けて処理する必要がある。即ち、まず所定量の生ゴミをゴミ容器に投入して１回目の処理を行い、処理した後の乾燥ゴミはゴミ容器ごと外部に取出してゴミ袋等に投入し、その後、再びゴミ容器に残りの生ゴミを投入しそのゴミ容器をハウジングにセットして処理する必要があり、よってゴミ容器を出し入れする回数が増加する。
【０００８】
また、この問題点に対処する方法としては、１回目の生ゴミの処理を行うと、約５ｋｇの生ゴミが乾燥処理によって１ｋｇ前後に減量（２０％に減量）し容量も小さくなるので、この乾燥ゴミの上に残りの生ゴミを投入して処理することもできる。
【０００９】
しかし、特許文献１の生ゴミ処理機は、ハウジングに対するゴミ容器の着脱を容易にするために、ゴミ容器とハウジングの開口との間には隙間が設けられており、このために、ハウジングにゴミ容器をセットしたままで生ゴミを投入しようとすると、生ゴミが前記隙間から落下してハウジング内部を汚し、このために悪臭が発生する問題がある。更に、前記ハウジングの底部には、ゴミ容器を回転可能に受けるためのテーブル等が設けてあるため、このテーブルの下側に生ゴミが入り込んだ場合には、この生ゴミをハウジングの上部からは除去することができず、よって生ゴミ処理機を分解して掃除する必要がある。
【００１０】
従って、特許文献１のような容器着脱形の生ゴミ処理機では、ゴミ容器に生ゴミを投入する際は、必ずゴミ容器をハウジングから取出して外部で投入する作業を行う必要があり、このためにゴミ容器を出し入れする回数が増加して取扱いが面倒になるという問題を有していた。
【００１１】
また、特許文献１に示される容器着脱形の生ゴミ処理機において、ゴミ容器を例えば１０ｋｇ収容できるような大容量のものとしてゴミ容器の出し入れ回数を減少させることも考えられるが、このようにゴミ容器を大容量にすると、使用者は重量が大きいゴミ容器を出し入れするという重労働の繰り返し作業を強いられることになり、よって採用は困難である。
【００１２】
一方、前記特許文献２に示される容器固定形の生ゴミ処理機は、一般に１０ｋｇ前後或いはそれ以上の比較的大量の生ゴミを処理するための業務用等に利用される生ゴミ処理機であり、生ゴミの処理量が多いために処理容器はハウジングに固定されている。
【００１３】
しかし、特許文献２では処理容器がハウジングに固定され、且つマイクロ波照射装置もハウジングに固定されて処理容器の１箇所のみからマイクロ波を照射するようになっているために、処理容器の一部が高温になって生ゴミが焼付く問題がある。この問題のために、スクレーパを備えて生ゴミを攪拌することによりマイクロ波照射装置による照射熱を分散させるようにしているが、スクレーパで生ゴミを攪拌しても、スクレーパと処理容器との間には隙間があるために、生ゴミは前記高温部に焼付いてしまう。前記マイクロ波の照射部分は、マイクロ波照射装置によるマイクロ波透過効率を高めることと、高熱対策のために、テフロン（ポリフッ化エチレン製繊維：登録商標名）製としているが、テフロンは高価であるためコストが増加する問題がある。更に、前記したように生ゴミの焼付きが生じると、生ゴミが高温で分解することによって有害物質を発生することが知られている。
【００１４】
本発明は、上記した問題点に鑑み、容器着脱形の生ゴミ処理機において、小型の装置で多量の生ゴミを処理することができ、しかも生ゴミの投入、処理後のゴミの取出しが容易で、更に、装置内部が汚れる問題も生じない生ゴミ処理機を提供することを目的としてなしたものである。
【課題を解決するための手段】
【００１５】
請求項１に記載の発明は、ハウジングと、該ハウジングに略水平な回転軸により支持されて回転する横形のゴミ処理容器と、該ゴミ処理容器の回転を駆動する容器回転装置と、ゴミ処理容器の内部に設けた回転翼と、該回転翼を回転して生ゴミの切断又は破砕を行う回転翼駆動装置と、ゴミ処理容器と離間してハウジングに固定したマイクロ波照射装置とを備え、前記ハウジングに、外部蓋により夫々開閉可能な上部の外部投入口及び下部の外部取出口を備え、更に、ゴミ処理容器の前記外部投入口及び外部取出口と対応する位置に、内部蓋により夫々開閉可能な内部投入口及び内部取出口を備えたことを特徴とする生ゴミ処理機、に係るものである。
【００１６】
請求項２に記載の発明は、前記ゴミ処理容器が、ハウジングに傾斜した回転軸により支持されて回転する傾斜形のゴミ処理容器であることを特徴とする請求項１に記載の生ゴミ処理機、に係るものである。
【００１７】
請求項３に記載の発明は、外部投入口及び内部投入口におけるゴミ処理容器とハウジングとの間隔を閉塞する落下防止部材を設けたことを特徴とする請求項１又は２に記載の生ゴミ処理機、に係るものである。
【００１８】
請求項４に記載の発明は、前記ハウジングに、ゴミ処理容器の回転位置を検出する検出器を備え、ゴミ処理容器の回転停止時に、生ゴミ投入口と外部投入口が一致し乾燥ゴミ取出口と外部取出口が一致して停止されるように前記容器回転装置を制御する制御器を備えたことを特徴とする請求項１〜３のいずれか１つに記載の生ゴミ処理機、に係るものである。
【発明の効果】
【００１９】
本発明の生ゴミ処理機によれば、ハウジングに略水平な回転軸により支持されて回転する横形のゴミ処理容器を設け、ハウジングに、外部蓋により夫々開閉可能な上部の外部投入口及び下部の外部取出口を備え、更に、ゴミ処理容器の前記外部投入口及び外部取出口と対応する位置に、内部蓋により夫々開閉可能な内部投入口及び内部取出口を設けたので、外部投入口及び内部投入口の高さ位置を低くすることができ、よって生ゴミの投入作業が容易になる効果がある。
【００２０】
ゴミ処理容器を、ハウジングに傾斜した回転軸により支持されて回転する傾斜形のゴミ処理容器としたことにより、外部投入口が上を向くようになり、よってゴミ処理容器に生ゴミを投入する作業がやり易くなる効果がある。更に、乾燥ゴミはゴミ処理容器の内部下端に集まるようになるので、ハウジングの下端部に設けた外部取出口を開け、更に内部取出口を開けることにより、ゴミ処理容器内部の乾燥ゴミを残らず外部に排出することができ、よって乾燥ゴミの排出作業が容易になる効果がある。
【００２１】
また、外部投入口及び内部投入口におけるゴミ処理容器とハウジングとの間隔を閉塞することにより、生ゴミがゴミ処理容器とハウジングとの間隔に落下する問題を防止できる効果がある。
【００２２】
ゴミ処理容器の回転を検出するセンサの検出に基づいて容器回転装置の回転停止を制御する制御器により、常にゴミ処理容器の内部投入口がハウジングの外部投入口に一致し、ゴミ処理容器の内部取出口がハウジングの外部取出口に一致した状態で停止されるようにしているので、生ゴミの投入と乾燥ゴミの排出とを確実に行える効果がある。
【発明を実施するための最良の形態】
【００２３】
以下、本発明の実施の形態を添付図面を参照して説明する。
【００２４】
図１は本発明の生ゴミ処理機の一例を示す縦断側面図、図２は図１をＩＩ方向から見た正面図、図３は図１をＩＩＩ方向から見た平面図であり、図中１は外壁１ａと該外壁１ａの内部に間隔を有して一体に構成された内壁１ｂとからなるハウジング１であり、該ハウジング１の内部に、略水平な回転軸２（２重軸）を中心に回転する両端が閉塞された略円筒状のゴミ処理容器３を設けて横形のゴミ処理容器３を形成しており、前記ハウジング１は所要の間隔を有して前記ゴミ処理容器３を包囲している。
【００２５】
ゴミ処理容器３は、ハウジング１の前後（図１の左右）に設けた軸受４により回転可能に支持された２重軸の外軸５に固定されており、後側（図１の左側）の外軸５にはホイール或いはプーリと、チェーン或いはベルト等からなる動力伝達部材６を介して容器回転装置７が接続されており、該容器回転装置７を駆動することにより前記ゴミ処理容器３が回転されるようにしている。
【００２６】
また前記前後の外軸５を貫通する内軸８が設けてあり、該内軸８にはゴミ処理容器３内で回転する回転翼９が固定されている。更に、内軸８の後端（図１の左端）は外軸５を貫通して外部に突出しており、この突出部にはホイール或いはプーリと、チェーン或いはベルト等からなる動力伝達部材１０を介して回転駆動装置１１が接続されており、回転駆動装置１１を駆動することにより回転翼９が回転駆動されるようにしている。尚、前記回転翼９は、生ゴミを切断するカッタ又は生ゴミを叩き潰すように破砕する破砕翼であって生ゴミを微細化して乾燥を促進させるものであり、従って回転翼の形状、設置数、設置段数は任意であること、回転翼をゴミ処理容器３の回転方向に対して同方向又は逆方向に回転させること、及び回転翼を多数備えて互いに逆回転させるようにすること等は任意である。
【００２７】
前記ハウジング１には、ゴミ処理容器３の周壁から離間するようにマイクロ波照射装置１２を固定している。図示の場合では、図２に示すようにゴミ処理容器３の下側外周面に対向するように左右に間隔を有して配置され、且つ図３に示すように軸方向に離間して配置された２個のマイクロ波照射装置１２を設けており、減容してゴミ処理容器３内部下部に滞留する生ゴミを効率良く均一に加熱乾燥できるようにしている。このマイクロ波照射装置１２は１個だけ設けても、或いは複数個設けるようにしてもよい。
【００２８】
前記ハウジング１の前端（図１の右端）の上部位置には、外部投入口１３が形成してあり、該外部投入口１３の下部位置には外部取出口１４が形成してある。
【００２９】
一方、前記ゴミ処理容器３の前端（図１の右端）には、前記ハウジング１の外部投入口１３及び外部取出口１４と対応するように、内部投入口１５及び内部取出口１６が形成されている。
【００３０】
そして、前記ハウジング１の外部投入口１３及び外部取出口１４の夫々には開閉が可能な外部蓋１７を設け、また、ゴミ処理容器３の内部投入口１５及び内部取出口１６の夫々には開閉が可能な内部蓋１８を設けている。また、前記外部投入口１３と内部投入口１５は、図１に示す如く、ゴミ処理容器３への生ゴミの投入をし易くするために上側が後方（図１の左側）に向かって後退するように傾斜されている。また、外部投入口１３と内部投入口１５の間には落下防止部材１ｃが設けられており、ゴミ処理容器３とハウジング１との間の間隔内部に生ゴミが落下するのを防止している。この落下防止部材１ｃは、例えばハウジング１に固定したゴム板等をゴミ処理容器３の前端面に接触させて、ゴミ処理容器３とハウジング１との間の間隔内部に生ゴミが落下するのを防止している。
【００３１】
図４、図５はハウジング１の外部投入口１３及び外部取出口１４に設けた外部蓋１７の一例を示すもので、この外部蓋１７は、外部投入口１３及び外部取出口１４を開閉できるように一側がヒンジ１９によりハウジング１に取り付けられた回動式となっている。外部蓋１７の他側には係止レバー２０がピン２１を中心に回動可能に取り付けてあり、また、ハウジング１には前記係止レバー２０の先端２０ａが係合する係止ストッパ２２を固定している。この構成では、図４のように係止レバー２０の先端２０ａを係止ストッパ２２に係合した状態にすると、外部蓋１７は外部投入口１３及び外部取出口１４を閉塞した状態に保持され、一方、係止レバー２０を図４の矢印Ｘで示す方向に回動させると、係止レバー２０の先端２０ａが係止ストッパ２２から外れることにより、外部蓋１７はヒンジ１９を中心に回動して外部投入口１３及び外部取出口１４を開放できるようになっている。
【００３２】
図６、図７は外部取出口１４に設けた外部蓋１７の他の例を示すもので、この外部蓋１７は、ガイド２３に沿って昇降することにより外部取出口１４を開閉できるようにしたスライド式となっている。外部蓋１７の左右両側位置には係止ストッパ２４を設け、前記ハウジング１には回動によって先端２５ａが前記係止ストッパ２４に係合するようにした２個の係止レバー２５をピン２６により回動可能に取り付けている。２７は外部蓋１７の落下を防止する係止部材である。この構成では、図６のように係止レバー２５の先端２５ａを係止ストッパ２４に係合した状態にすると、外部蓋１７は外部取出口１４を閉塞した状態に保持され、一方、係止レバー２５を図６の矢印Ｘの方向に回動させると、係止レバー２５の先端２５ａが係止ストッパ２４から外れることにより、外部蓋１７は図７に示す如くガイド２３に沿って上昇して外部取出口１４を開放できるようになっている。図中２８は外部取出口１４を開放した状態に外部蓋１７を保持するためのストッパである。上記図６、図７では、外部取出口１４に設けた外部蓋１７の場合について説明したが、外部投入口１３にも図６、図７と同様の外部蓋１７を設けることができる。
【００３３】
尚、上記においてはハウジング１の外部投入口１３及び外部取出口１４に設けるようにした外部蓋１７について説明したが、ゴミ処理容器３の内部投入口１５及び内部取出口１６に設ける内部蓋１８も、前記外部蓋１７と同様の構成とすることができ、よって詳細な説明は省略するが、内部投入口１５及び内部取出口１６も内部蓋１８によって開閉できるようになっている。
【００３４】
また、図１のゴミ処理容器３が取り付けられた後端（図１の左端）の外軸５には検出ストライカ２９を固定し、且つハウジング１にはセンサ３０（検出器）を設けており、容器回転装置７によってゴミ処理容器３の回転を停止させる際に、前記センサ３０による検出に基づいてゴミ処理容器３の停止位置を制御するようにした制御器３１を設けている。制御器３１は、ゴミ処理容器３の回転を停止する時に、常にゴミ処理容器３の内部投入口１５がハウジング１の外部投入口１３に一致し、ゴミ処理容器３の内部取出口１６がハウジング１の外部取出口１４に一致して停止するように容器回転装置７の回転を制御している。
【００３５】
また、前記ハウジング１の前側（図１の右側）には、ゴミ処理容器３の内部投入口１５と内部取出口１６が内部蓋１８によって閉塞されたことを検出するための閉め忘れ防止センサ３２，３３が設けてあり、該閉め忘れ防止センサ３２，３３の検出信号が操作盤３４に入力されている。そして、操作盤３４の操作によって生ゴミ処理機を運転しようとする際に、前記ゴミ処理容器３の内部投入口１５と内部取出口１６のいずれか１つでも内部蓋１８によって閉塞されていないと、生ゴミ処理機は運転できないようになっている。図１中３５，３６は、前記ハウジング１における内部取出口１６と外部取出口１４の下部に設けた落下スロートであり、３７は乾燥ゴミ受けである。
【００３６】
次に、上記した実施の形態の作動を説明する。
【００３７】
図１の生ゴミ処理機では、センサ３０の検出に基づいて容器回転装置７の回転停止を制御する制御器３１により、ゴミ処理容器３は、常にゴミ処理容器３の内部投入口１５がハウジング１の外部投入口１３に一致し、ゴミ処理容器３の内部取出口１６がハウジング１の外部取出口１４に一致した状態で停止される。
【００３８】
従って、本発明の生ゴミ処理機において生ゴミの乾燥処理を行うには、まず外部投入口１３の外部蓋１７を開け、続いて内部投入口１５の内部蓋１８を開けた後、上記外部投入口１３及び内部投入口１５を介してゴミ処理容器３に生ゴミを投入する。
【００３９】
その後、内部投入口１５を内部蓋１８で閉塞し、外部投入口１３を外部蓋１７で閉塞する。
【００４０】
続いて、容器回転装置７を駆動してゴミ処理容器３の回転を行うと共に、回転駆動装置１１を駆動して回転翼９の回転を行い、同時にマイクロ波照射装置１２を駆動した状態として、所定時間での生ゴミの乾燥処理を行う。このとき、閉め忘れ防止センサ３２，３３を備えてゴミ処理容器３の内部投入口１５と内部取出口１６のいずれか１つでも内部蓋１８で閉塞されていない場合には、生ゴミ処理機が運転されないようにしているので装置の安全が図れる。
【００４１】
前記ゴミ処理容器３内部の回転翼９の配転方向は、ゴミ処理容器３の回転方向と同方向であっても或いは逆方向であってもよいが、ゴミ処理容器３の回転速度よりも高速で回転されており、これにより回転翼９は生ゴミの切断又は破砕を行うと共に、ゴミ処理容器３内部の生ゴミを攪拌する機能を有している。
【００４２】
上記した乾燥処理を所定時間行うと、生ゴミは効果的に加熱乾燥され、重量が初期の生ゴミの２０％程度に減量されて乾燥ゴミとなる。
【００４３】
ゴミ処理容器３内部の乾燥ゴミを外部に排出するには、生ゴミ処理機の運転を停止させる。このとき、前記制御器３１によって、ゴミ処理容器３の内部投入口１５がハウジング１の外部投入口１３に一致し、ゴミ処理容器３の内部取出口１６がハウジング１の外部取出口１４に一致した状態でゴミ処理容器３は停止される。
【００４４】
従って、まず外部取出口１４の外部蓋１７を開け、続いて内部取出口１６の内部蓋１８を開けた後、ゴミ処理容器３内部の乾燥ゴミを落下スロート３５，３６を介して乾燥ゴミ受け３７に排出する。このとき、ゴミ処理容器３内部の乾燥ゴミは掻き出すようにして排出してもよい。
【００４５】
乾燥ゴミの排出後、内部取出口１６を内部蓋１８で閉塞し、外部取出口１４を外部蓋１７で閉塞する。続いて再び生ゴミの乾燥処理を行うには、前述したように外部投入口１３の外部蓋１７を開けると共に内部投入口１５の内部蓋１８を開けて生ゴミをゴミ処理容器３に投入することにより行う。
【００４６】
上記したように、乾燥処理が終了したとき、その都度外部取出口１４と内部取出口１６を開けて乾燥ゴミの排出を行うようにしてもよいが、前記したように、生ゴミを乾燥処理すると重量が初期の生ゴミの２０％程度に減量され、容積も非常に小さく減容されることになるので、乾燥ゴミを排出することなくその乾燥ゴミの上に新たな生ゴミを投入して処理することができる。
【００４７】
このように生ゴミの追加処理を行うようにすると、外部取出口１４と内部取出口１６の開け閉めの操作回数が減少するので、作業労力を低減することができ、更に、追加投入する生ゴミは、加熱されているゴミ処理容器３の熱及び乾燥ゴミの熱によっても加熱されることになるので処理時間が短縮されることになり、よって単位時間当たりの生ゴミの処理量を増大させることができる。
【００４８】
図８は本発明の生ゴミ処理機の他の例を示す縦断側面図であり、図１ではゴミ処理容器３の回転軸２を略水平に設けて横形としたのに対し、図８ではゴミ処理容器３の回転軸を水平に対して所要の角度αで傾斜させて設けた傾斜形とした場合を示している。
【００４９】
そしてこの傾斜形の場合は、ハウジング１における上端の前面側に外部投入口１３を形成し、また、ハウジング１の下端位置、即ちゴミ処理容器３の外周面最下端部に対応した位置に外部取出口１４を形成している。更に、前記ゴミ処理容器３の上端の前面側には前記ハウジング１の外部投入口１３と対応する内部投入口１５を形成すると共に、ゴミ処理容器３の外周面最下端部には前記ハウジング１の外部取出口１４と対応する内部取出口１６を形成している。そしてこのとき、ハウジング１の下端下側部に形成した外部取出口１４と干渉しないように、容器回転装置７及び回転駆動装置１１の位置をずらして設置している。
【００５０】
前記ハウジング１の外部投入口１３及び外部取出口１４の夫々には図４、図５又は図６、図７に示すような開閉が可能な外部蓋１７を設け、また、前記ゴミ処理容器３の内部投入口１５及び内部取出口１６の夫々にも図４、図５又は図６、図７に示すような開閉が可能な内部蓋１８を設けている。
【００５１】
また、前記したように傾斜形の生ゴミ処理機では、ゴミ処理容器３の内側下端に生ゴミが集まって滞留するようになるので、マイクロ波照射装置１２を、ハウジング１の下端位置における前記外部取出口１４及び容器回転装置７等と干渉しない位置に配置することにより生ゴミを効果的に加熱乾燥できるようにしている。尚、その他については、図１の形態と同様に構成することができる。
【００５２】
上記した図８の構成によれば、ゴミ処理容器３が傾斜して設けられていることにより、外部投入口１３が上を向くようになり、よってゴミ処理容器３に生ゴミを投入する作業がやり易くなる。更に、乾燥ゴミはゴミ処理容器３の内部下端に集まるようになるので、ハウジング１の下端部に設けた外部取出口１４を開け、更に内部取出口１６を開けることにより、ゴミ処理容器３内部の乾燥ゴミを残らず乾燥ゴミ受け３７に排出することができ、よって乾燥ゴミの排出作業が著しく容易になる。
【００５３】
なお、本発明の生ゴミ処理機は上記した実施の形態に限定されるものではなく、本発明の要旨を逸脱しない範囲内において種々変更を加え得ることは勿論である。
【図面の簡単な説明】
【００５４】
【図１】本発明の生ゴミ処理機の一例を示す縦断側面図である。
【図２】図１をＩＩ方向から見た正面図である。
【図３】図１をＩＩＩ方向から見た平面図である。
【図４】外部蓋の一例を示す正面図である。
【図５】図４のＶ−Ｖ方向矢視図である。
【図６】外部蓋の他の例を示す取出口を閉塞した状態の正面図である。
【図７】図６の外部蓋が取出口を開放した状態の正面図である。
【図８】本発明の生ゴミ処理機の他の例を示す縦断側面図である。
【符号の説明】
【００５５】
１  ハウジング
１ｃ        落下防止部材
２  回転軸
３  ゴミ処理容器
５  外軸
７  容器回転装置
８  内軸
９  回転翼
１１  回転駆動装置
１２  マイクロ波照射装置
１３  外部投入口
１４  外部取出口
１５  内部投入口
１６  内部取出口
１７  外部蓋
１８  内部蓋
３０  センサ（検出器）
３１  制御器
【図１】
2005270718.tif 000003
【図２】
2005270718.tif 000004
【図３】
2005270718.tif 000005
【図４】
2005270718.tif 000006
【図５】
2005270718.tif 000007
【図６】
2005270718.tif 000008
【図７】
2005270718.tif 000009
【図８】
2005270718.tif 000010